(57)【要約】【課題】  同一の測定セル長にて広範囲の濁度の測定を可能とする濁度計を実現する。【解決手段】  測定液中の微粒子によって散乱される光を散乱光検出器で検出し、濁度を測定する濁度計に関するものである。  散乱光検出器の位置を移動又は選択可能な構成とした。【選択図】                    図１
2006047166.tif 000002
【特許請求の範囲】
【請求項１】
測定液中の微粒子によって散乱される光を散乱光検出器で検出し、濁度を測定する濁度計において、
前記散乱光検出器は位置が移動可能なことを特徴とする濁度計。
【請求項２】
測定液中の微粒子によって散乱される光を散乱光検出器で検出し、濁度を測定する濁度計において、
前記散乱光検出器は位置が選択可能なことを特徴とする濁度計。
【請求項３】
前記散乱光検出器は前記光束の光路方向及び光路と垂直方向の少なくともいずれかの方向に位置が移動可能なことを特徴とする請求項１記載の濁度計。
【請求項４】
前記透過光検出器は前記光束の光路方向に位置が移動可能なことを特徴とする請求項１乃至３のいずれかに記載の濁度計。
【発明の詳細な説明】
【技術分野】
【０００１】
本発明は、濁度計、特に、透過光と散乱光の量をもとに光学的に濁度を求める濁度計に関するものである。
【背景技術】
【０００２】
浄水及び排水の水処理プロセスでは、濁度の測定及び管理は重要な項目となっており、濁度計が用いられている。
濁度計の方式には、透過光方式、散乱光方式、表面散乱光方式、透過散乱光方式があるが、特に、透過光と散乱光の量の比により光学的に濁度を求める透過散乱光方式は低濁度から高濁度まで測定が可能である。
【０００３】
図４は従来の透過散乱方式の濁度計の模式図である。
図４で、光源１からの光束はレンズ２で集光され平行光となる。
測定セル３の両端は透明ガラス４ａ、４ｂにより仕切られており、測定セル３を流れる測定液３１の濁度成分（微粒子）によって平行光の一部は散乱され、散乱光検出器５によりその光量が測定され、散乱によって減衰した平行光は透過光検出器６によりその光量が測定される。
この図で、散乱光検出器５は円環状の光電池、透過光検出器６は円板状の光電池を使用している例を示している。図のＡとＢに散乱光検出器５と透過光検出器６の受光面の形状を示す。
濁度成分濃度が大きくなるに従って、散乱光検出器５により測定される光量は増加する。
濁度は、透過光検出器６により測定された透過光量に対する散乱光検出器５により測定された散乱光量の比により求める。
【０００４】
透過散乱光方式の濁度計の構成を示したものとして、例えば特許文献１に記載されたものがあった。
【特許文献１】特開２０００−２０６０３０号公報
【発明の開示】
【発明が解決しようとする課題】
【０００５】
しかし、図４の従来例では次の問題点があった。
濁度は、（散乱光量）／（透過光量）の比で求めるため、散乱光量は大きいほど濁度の測定精度を高くすることができる。
散乱光検出器は平均散乱角の延長線上にあるときに最適感度となり散乱光量を大きくすることができるが、平均散乱角は測定液の濁度成分濃度や測定セル長によって変化する。
ここで、散乱光検出器は位置が固定されているので、最適感度を得るためには測定液の濁度成分濃度に応じて最適な測定セル長を選択する必要がある。
【０００６】
以上のように従来は、測定液の濁度成分濃度に応じて最適な測定セル長を選択することができるように各種の測定セル長を用意しておく必要があるという問題点があった。
【０００７】
本発明は上述した問題点を解決するためになされたものであり、同一の測定セル長にて広範囲の濁度の測定を可能とする濁度計を実現することを目的とする。
【課題を解決するための手段】
【０００８】
このような課題を達成するために、本発明は次のとおりの構成になっている。
（１）測定液に光束を照射し、前記測定液を透過する透過光を透過光検出器で検出し、前記測定液中の微粒子によって散乱される散乱光を散乱光検出器で検出し、検出した透過光と散乱光の量の比により濁度を測定する濁度計において、
前記散乱光検出器は位置が移動可能なことを特徴とする濁度計。
【０００９】
（２）測定液に光束を照射し、前記測定液を透過する透過光を透過光検出器で検出し、前記測定液中の微粒子によって散乱される散乱光を散乱光検出器で検出し、検出した透過光と散乱光の量の比により濁度を測定する濁度計において、
前記散乱光検出器は位置が選択可能なことを特徴とする濁度計。
【００１０】
（３）前記散乱光検出器は前記光束の光路方向及び光路と垂直方向の少なくともいずれかの方向に位置が移動可能なことを特徴とする（１）記載の濁度計。
【００１１】
（４）前記透過光検出器は前記光束の光路方向に位置が移動可能なことを特徴とする（１）乃至（３）のいずれかに記載の濁度計。
【発明の効果】
【００１２】
本発明によれば次のような効果がある。
測定液の濁度成分濃度により平均散乱角が変化した場合に、散乱光検出器を平均散乱角の延長線上の位置になるように移動して散乱光検出器の感度を上げることにより、同一の測定セル長にて散乱光量を大きくし濁度の測定精度を高くすることができる。
【００１３】
また、測定液の濁度成分濃度により平均散乱角が変化した場合に、散乱光検出器のうち平均散乱角の延長線上の位置にあるものを選択して散乱光検出器の感度の高いものを使用することにより、同一の測定セル長にて散乱光量を大きくし濁度の測定精度を高くすることができる。
【００１４】
よって、測定液の濁度成分濃度に影響されることなく、低濁度から高濁度まで広範囲の濁度を同一の測定セル長にて測定することが可能となる。
【発明を実施するための最良の形態】
【００１５】
以下、図面を用いて本発明を詳細に説明する。
図１は本発明の一実施例を示す構成図である。前出の図と同一のものは同一符号を付ける。
図１で、光源１からの光束はレンズ２で集光され平行光となる。
測定セル３の両端は透明ガラス４ａ、４ｂにより仕切られており、測定セル３を流れる測定液３１の濁度成分（微粒子）によって平行光の一部は散乱され、散乱光検出器１０ａ、１０ｂによりその光量が測定され、散乱によって減衰した平行光は透過光検出器１１によりその光量が測定される。
濁度は、（散乱光量）／（透過光量）の比で求めるため、散乱光量は大きいほど濁度の測定精度を高くすることができる。
散乱光検出器１０ａ、１０ｂ及び透過光検出器１１は、例えば、フォトダイオード等が用いられる。
【００１６】
測定セル３を流れる測定液３１の濁度成分濃度が大きくなるに従って、平均散乱角は大きくなり、測定液３１の濁度成分濃度が小さくなるに従って、平均散乱角は小さくなる。
この図で、散乱光検出器１０ａ、１０ｂは平均散乱角がθ１のときに最適感度となる位置にあるので、測定液３１の濁度成分濃度が大きくなり平均散乱角がθ１からθ２になった場合、散乱光検出器１０ａ、１０ｂの感度は低下し、散乱光量は小さくなる。
そこで、散乱光検出器１０ａ、１０ｂを光束の光路と垂直方法に移動し、平均散乱角θ２の延長線上の位置になるようにすることにより、測定セル長は同一のまま散乱光検出器１０ａ、１０ｂの感度を上げ、散乱光量を大きくし、濁度の測定精度を高くすることができる。
【００１７】
図２は本発明の他の実施例を示す構成図である。
図２で、測定液３１の濁度成分濃度が小さくなり平均散乱角がθ１からθ３になった場合、散乱光検出器１０ａ、１０ｂの感度は低下し、散乱光量は小さくなる。
そこで、散乱光検出器１０ａ、１０ｂを光束の光路方向に移動し、平均散乱角θ３の延長線上の位置になるようにすることにより、測定セル長は同一のまま散乱光検出器１０ａ、１０ｂの感度を上げ、散乱光量を大きくし、濁度の測定精度を高くすることができる。
【００１８】
図１及び図２で、散乱光検出器は、数が２個で、位置が上下に配置されている例を示しているが、散乱光検出器の数及び位置はこれ以外であってもよい。
【００１９】
図３は本発明の他の実施例を示す構成図である。
図３で、散乱光検出器１０ａ、１０ｂ、１２ａ、１２ｂは光束の光路と垂直方向に並んでおり、散乱光検出器１０ａ、１０ｂは平均散乱角がθ１のときに最適感度となる位置にあり、散乱光検出器１２ａ、１２ｂは平均散乱角がθ２のときに最適感度となる位置にある。
したがって、測定液３１の濁度成分濃度の変化により平均散乱角がθ１になった場合、散乱光検出器１０ａ、１０ｂを選択し、平均散乱角がθ２になった場合、散乱光検出器１２ａ、１２ｂを選択することにより、測定セル長は同一のまま散乱光量を大きくし、濁度の測定精度を高くすることができる。
【００２０】
図３で、散乱光検出器は、数が４個で、位置が上下に配置されている例を示しているが、散乱光検出器の数及び位置はこれ以外であってもよい。
【００２１】
濁度は（散乱光量）／（透過光量）の比で求めるため、（散乱光量）／（透過光量）が濁度成分濃度と直線関係にあることが必要とされる。
これは透過光検出器１１の位置を光束の光路方向に移動することによって直線性を調整することができる。
【００２２】
図１〜図３で、透過光検出器は、数が１個の場合の例を示しているが、２個以上であってもよい。
【図面の簡単な説明】
【００２３】
【図１】本発明の一実施例を示す構成図である。
【図２】本発明の他の実施例を示す構成図である。
【図３】本発明の他の実施例を示す構成図である。
【図４】従来の透過散乱方式の濁度計の模式図である。
【符号の説明】
【００２４】
１０ａ、１０ｂ、１２ａ、１２ｂ  散乱光検出器
１１  透過光検出器
３１  測定液
【図１】
2006047166.tif 000003
【図２】
2006047166.tif 000004
【図３】
2006047166.tif 000005
【図４】
2006047166.tif 000006